(57)【要約】      （修正有）【課題】蛇腹状の圧縮可能な容器内の溶剤が、該容器を圧縮して使用した際に残留することがほとんどない注出治具を提供する。【解決手段】注出治具は、蛇腹容器Ｐ１の筒本体Ｐ１Ａの後端部に外嵌装着される短筒状の装着体１Ａと、この装着体１Ａの内周面に形成された螺子１Ａａ（螺子部）に向けて螺入され、筒本体Ｐ１Ａのノズル部Ｐ１ａの内径と略等しくかつ内面に沿った形状とされたノズル押出部１Ｂｃ、及び該筒本体Ｐ１Ａの内径と略等しくかつ該筒本体Ｐ１Ａの圧縮された状態の内面に沿った形状とされた蛇腹押出部１Ｂｂ、並びにノズル押圧部１Ｂｃの先端に形成され、筒本体Ｐ１Ａの押圧部Ｐ１Ｂの面を刺し割るための刺割部１Ｂｄ、が形成された押出体１Ｂと、を備えている。【選択図】図１
0003177833.tif 000002
【実用新案登録請求の範囲】
【請求項１】
筒本体が蛇腹状とされると共に、先端部に内容物を注出するノズル部及び後端部に押圧部がそれぞれ形成された圧縮可能な蛇腹容器に用いられる注出治具であって、前記押圧部が形成された前記筒本体の後端部に外嵌装着される短筒状の装着体と、この装着体の内周面に形成された螺子部に向けて螺入され、前記筒本体のノズル部の内径と略等しくかつ内面に沿った形状とされたノズル押出部、及び該筒本体の内径と略等しくかつ該筒本体の圧縮された状態の内面に沿った形状とされた蛇腹押出部、並びに前記ノズル押圧部の先端に形成され、前記筒本体の押圧部の面を刺し割るための刺割部、が形成された押出体と、を備えたことを特徴とする注出治具。
【請求項２】
装着体の内周面と筒本体の後端部との間にシール部材を介在させることを特徴とする請求項１記載の注出治具。
【請求項３】
筒本体が蛇腹状とされると共に、先端部に内容物を注出するノズル部及び後端部が開放された圧縮可能な蛇腹容器であって、前記開放された前記筒本体の後端部に設けられた短筒状の装着体と、この装着体の内周面に設けられ、前記筒本体のノズル部の内径と略等しくかつ内面に沿った形状とされたノズル押出部、及び該筒本体の内径と略等しくかつ該筒本体の圧縮された状態の内面に沿った形状とされた蛇腹押出部、が形成された押出体と、を備えたことを特徴とする蛇腹容器。
【請求項４】
筒本体の外周方向に臨む蛇腹の山の頂点が後端部方向に傾斜していることを特徴とする請求項３記載の蛇腹容器。 
【請求項５】
シリンダと、このシリンダ内に装填される溶剤が充填された蛇腹状の圧縮可能な蛇腹容器と、前記シリンダ内を摺動して前記蛇腹容器を圧縮して溶剤を注出するためのピストンと、このピストンの後進面に設けられ、軸方向所定部位に径方向に突出した係止片が形成されたピストンロッドと、前記シリンダの前記ピストンの後進端位置に設けられ、前記ピストンロッドが挿通される挿通孔が形成されたキャップと、このキャップと前記ピストンの後進面との間で前記ピストンロッドが挿通された状態で設けられたばねと、を備えた注入器具において、前記蛇腹容器に請求項１又は２の注入治具を設ける、前記蛇腹容器として請求項３又は４の蛇腹容器を用いる、のうちの１つを選択する構成としたことを特徴とする注入器具。
【考案の詳細な説明】
【技術分野】
【０００１】
本考案は、コンクリート構造物などの亀裂を埋める補修剤を無駄なく使用することができる注出治具及び蛇腹容器並びに注入器具に関するものである。
【背景技術】
【０００２】
従来、コンクリート構築物などに生じた亀裂（以下、クラックという）を埋める補修には、クラック内にエポキシ樹脂などの補修剤を加圧注入する工法が採用されている。この工法では、通常、構築物の表面上で目視できるクラックに沿って所要の間隔で補修剤を注入する。
【０００３】
補修剤の注入器具としては、例えば、加圧注入用の器具を取り付ける方式が広く採用されている。注入器具は、例えば特許文献１，２に示すように、圧縮状態のばねの自然長へ復元する反発力を用いて補修剤を所定時間をかけて押し出す（注出）する構成のものが普及している。
【０００４】
特許文献１，２に示す注入器具は、図８に示すように、シリンダ５０とピストン５１及びピストンロッド５１Ａとを主要構成としている。シリンダ５０内には補修剤が装填された蛇腹状の補修剤容器６１が挿入されている。シリンダ５０の軸方向両端には、補修剤が注出される側に注出口５０ａが、ピストン５１を操作する側に操作口５０ｂが各々形成されている。
【０００５】
注出口５０ａの外周縁部にはクラックへ挿入されるノズル５０ｃが設けられたノズルキャップ５０Ａが螺着される。一方、操作口５０ｂの外周縁部には後述するばね５２を封入するキャップ５０Ｂが螺着される。キャップ５０Ｂには、後述するピストンロッド５１Ａが摺動可能で係止片５１ｂの係止を可能とする孔５０ｄが形成されている。
【０００６】
ピストン５１の操作口５０ｂ側には、ピストンロッド５１Ａが設けられている。ピストンロッド５１Ａはキャップ５０Ｂの孔５０ｄに挿通され、一方端が前記ピストン５１に接続し、他方端が該キャップ５０Ｂの外側に露出している。ピストンロッド５１Ａにおける露出した側の端部には操作杆５１ａが設けられている。
【０００７】
また、ピストンロッド５１Ａは、軸方向における、ピストン５１に近い位置と、操作杆５１ａに近い位置の、２箇所に係止片５１ｂが設けられている。この係止片５１ｂ，５１ｂは、ピストンロッド５１Ａを摺動させた際に当該位置でキャップ５０Ｂの孔５０ｄの周縁部と係合する。
【０００８】
ピストンロッド５１Ａにおける、ピストン５１の後面とキャップ５０Ｂの前面との間にはばね５２が挿嵌されている。このばね５２は、自然長で伸張した状態とされ、圧縮した状態からピストン５１を注出口５０ａへと押し出すように付勢する。
【０００９】
補修剤容器６１は、先端がノズルキャップ５０Ａ及びノズル５０ｃに沿った形状とされ、後端が平坦面とされてピストン５１の先端部と当接するようになっている。
【００１０】
上記構成の上記特許文献１，２に示す従来の注入器具は、次のように操作する。操作杆５１ａを、キャップ５０Ｂから離間するように引くとばね５２が圧縮し、同時にピストン５１が後退（キャップ５０Ｂ側へ移動）する。
【００１１】
そして、ピストン５１側の係止片５１ｂをキャップ５０Ｂの孔５０ｄから引き出した状態まで操作杆５１ａを引いた後、若干軸回転させると、該係止片５１ｂが孔５０ｄの周縁部と係止状態となる。係止片５１ｂを孔５０ｄの周縁部に係止させることで、ピストンロッド５１Ａがばね５２の復元によりピストン５１を押し出さずに停止した状態にすることができる。
【００１２】
ピストン５１が後退した状態で、ノズルキャップ５０Ａを外して、ノズル５０ｃと接続した補修剤容器６１を注出口５０ａからシリンダ５０内に装填し、ノズルキャップ５０Ａを注出口５０ａの外周縁部に螺着する。
【００１３】
補修剤容器６１をシリンダ５０内に装填した後、ノズル５０ｃをクラックに沿った適所に固定配置する。この後、操作杆５１ａを上記とは逆に軸回転させて、係止片５１ｂと孔５０ｄの周縁部との係止状態を解除する。
【００１４】
これにより、ばね５２が復元してピストン５１を押し出し、このピストン５１の押し出しに伴ってシリンダ５０内の補修剤容器６１から補修剤がノズル５０ｃより注出される。ノズル５０ｃから注出された補修剤はクラック内に充填される。
【００１５】
しかしながら、上記の特許文献１，２に示す従来の注入器具は次の不具合があった。引き続き図８を用いて説明すると、すなわち、注入器具は、蛇腹状の容器とされた補修剤容器６１をシリンダ５０内に装填してピストン５１により押し出すが、該ピストン５１がノズル５０ｃに近づいて押し出し終了となっても、該補修剤容器６１の先端−後端方向で圧縮状態にある蛇腹の厚み（先端−後端方向の距離）が生じ、該補修剤容器６１内に補修剤が残留してしまうという問題があった。
【先行技術文献】
【特許文献】
【００１６】
【特許文献１】特開平６−２１２８１１号公報
【特許文献２】特公平７−１３４１７号公報
【考案の概要】
【考案が解決しようとする課題】
【００１７】
解決しようとする問題は、従来の特許文献１，２に示す従来の注入器具は、蛇腹状の補修剤容器内に補修剤が残留してしまうという点である。
【課題を解決するための手段】
【００１８】
上記問題を解決するために、本考案は、筒本体が蛇腹状とされると共に、先端部に内容物を注出するノズル部及び後端部に押圧部がそれぞれ形成された圧縮可能な蛇腹容器に用いられる注出治具に、前記押圧部が形成された前記筒本体の後端部に外嵌装着される短筒状の装着体と、この装着体の内周面に形成された螺子部に向けて螺入され、前記筒本体のノズル部の内径と略等しくかつ内面に沿った形状とされたノズル押出部、及び該筒本体の内径と略等しくかつ該筒本体の圧縮された状態の内面に沿った形状とされた蛇腹押出部、並びに前記ノズル押圧部の先端に形成され、前記筒本体の押圧部の面を刺し割るための刺割部、が形成された押出体と、を備えることを最も主要な特徴とする。
【考案の効果】
【００１９】
このように構成することで、既存の蛇腹容器に取り付けて使用することができると共に、圧縮状態にある蛇腹容器に溶剤が注出されずに残留するといった問題が解消される。
【図面の簡単な説明】
【００２０】
【図１】図１は、本考案の注入治具の概略構成を示す図である。（実施例１）
【図２】図２は、本考案の注入治具を示し、（ａ）は部材毎の半断面図、（ｂ）は（ａ）底面図である。（実施例１）
【図３】図３は、本考案の注入治具を示し、（ａ）は蛇腹容器に装着する状況を、（ｂ）は装着して蛇腹容器が圧縮した状況を、各々示す図である。（実施例１）
【図４】図４は、本考案の蛇腹容器の概略構成を示し、（ａ）は斜視図、（ｂ）は蛇腹容器が圧縮した状況を示す図、である。（実施例２）
【図５】図５は、本考案の蛇腹容器の他の例を示し、（ａ）は斜視図、（ｂ）は蛇腹容器が圧縮した状況を示す図、である。（実施例２）
【図６】図６は、本考案の注入器具を示す分解斜視図である。（実施例３）
【図７】図７は、本考案の注入器具を示し、（ａ）は蛇腹容器の圧縮前、（ｂ）は蛇腹容器の圧縮後、をそれぞれ示す斜視図である。（実施例３）
【図８】図８は、従来の注入具を示す断面図である。
【考案を実施するための形態】
【００２１】
本考案の注入治具は、筒本体が蛇腹状とされると共に、先端部に内容物を注出するノズル部及び後端部に押圧部がそれぞれ形成された圧縮可能な蛇腹容器に用いられ、前記押圧部が形成された前記筒本体の後端部に外嵌装着される短筒状の装着体と、この装着体の内周面に形成された螺子部に向けて螺入され、前記筒本体のノズル部の内径と略等しくかつ内面に沿った形状とされたノズル押出部、及び該筒本体の内径と略等しくかつ該筒本体の圧縮された状態の内面に沿った形状とされた蛇腹押出部、並びに前記ノズル押圧部の先端に形成され、前記筒本体の押圧部の面を刺し割るための刺割部、が形成された押出体と、を備えた形態により実施することができる。
【００２２】
また、本考案の注入治具は、上記構成において、装着体の内周面と筒本体の後端部との間にシール部材を介在させる形態としても実施可能である。
【００２３】
本考案の蛇腹容器は、筒本体が蛇腹状とされると共に、先端部に内容物を注出するノズル部及び後端部が開放された圧縮可能な蛇腹容器に、前記開放された前記筒本体の後端部に設けられた短筒状の装着体と、この装着体の内周面に設けられ、前記筒本体のノズル部の内径と略等しくかつ内面に沿った形状とされたノズル押出部、及び該筒本体の内径と略等しくかつ該筒本体の圧縮された状態の内面に沿った形状とされた蛇腹押出部、が形成された押出体と、を備えた形態により実施することができる。
【００２４】
さらに、本考案の蛇腹容器は、筒本体の外周方向に臨む蛇腹の山の頂点が後端部方向に傾斜している形態としても実施可能である。 
【００２５】
本考案の注入器具は、シリンダと、このシリンダ内に装填される溶剤が充填された蛇腹状の圧縮可能な蛇腹容器と、前記シリンダ内を摺動して前記蛇腹容器を圧縮して溶剤を注出するためのピストンと、このピストンの後進面に設けられ、軸方向所定部位に径方向に突出した係止片が形成されたピストンロッドと、前記シリンダの前記ピストンの後進端位置に設けられ、前記ピストンロッドが挿通される挿通孔が形成されたキャップと、このキャップと前記ピストンの後進面との間で前記ピストンロッドが挿通された状態で設けられたばねと、を備え、さらに、前記蛇腹容器に本考案の注入治具を設ける、前記蛇腹容器として本考案の蛇腹容器を用いる、のうちの１つを選択する形態により実施可能である。
【００２６】
より具体的な実施例について、以下に図面を参照して説明する。図１〜図３は本考案の注出治具を示している（実施例１）。図４及び図５は本考案の蛇腹容器を示している（実施例２）。図６及び図７は本考案の注出器具を示している（実施例３）。なお、実施例３における注出器具は、例えば実施例２の蛇腹容器を用いた構成として示す。
【実施例１】
【００２７】
図１〜３に示す注出治具１は、筒本体Ｐ１Ａが蛇腹状とされると共に、先端部に内容物を注出するノズル部Ｐ１ａ及び後端部に押圧部Ｐ１ｂがそれぞれ形成された圧縮可能な蛇腹容器Ｐ１に用いられる。
【００２８】
注出治具１は、押圧部Ｐ１ｂが形成された筒本体Ｐ１Ａの後端部に外嵌装着される短筒状の装着体１Ａを有している。この装着体１Ａは本例では、図２（ａ）に示すように、後端内周面に螺子１Ａａが形成され、先端部内周面に係合部１Ａｂが形成されている。螺子１Ａａは後述する押出体１Ｂの螺合部１Ｂａが螺合され、係合部１Ａｂは蛇腹容器Ｐ１の蛇腹の山部が係合する。
【００２９】
また、注出治具１は、上記装着体１Ａの螺子１Ａａと螺合し、圧縮状態の蛇腹容器Ｐ１に残留する溶剤を注出するための押出体１Ｂを有している。この押出体１Ｂは、全体としては蛇腹容器Ｐ１の先端部の筒本体Ｐ１Ａの内面形状及びノズル部Ｐ１ａの内面形状に沿った形状とされている。
【００３０】
押出体１Ｂは、後端部の外周面に、装着体１Ａの螺子１Ａａと螺合する螺合部１Ｂａが形成されている。押出体１Ｂは、螺合部１Ｂａが形成された部位から先端方向に向けて筒本体Ｐ１Ａの内径と略等しくかつ該筒本体Ｐ１Ａの圧縮された状態の内面に沿った形状とされた蛇腹押出部１Ｂｂが形成されている。
【００３１】
また、押出体１Ｂは、蛇腹押出部１Ｂｂが形成された部位から先端方向に向けて該筒本体Ｐ１Ａのノズル部Ｐ１ａの内径と略等しくかつ内面に沿った形状とされたノズル押出部１Ｂｃが形成されている。さらに、押出体１Ｂは、ノズル押出部１Ｂｄの先端部位に、筒本体Ｐ１Ａの押圧部Ｐ１ｂの面を刺し割るための刺割部１Ｂｄが形成されている。
【００３２】
さらに、押出体１Ｂの螺合部１Ｂａが形成された部位の後端面には、装着体１Ａに対して該押出体１Ｂを、螺入させるための本例ではスパナを挿入する操作穴１Ｂｅが形成されている。
【００３３】
また、注出治具１は、装着体１Ａと押出体１Ｂとの間に、シール部材１Ｃを介在させるようにしている。シール部材１Ｃは、樹脂製でリング状とされ、装着体１Ａの係合部１Ａｂと蛇腹容器Ｐ１の蛇腹の山部との間に、押出体１Ｂの螺入により密着させ、蛇腹容器Ｐ１から装着体１Ａを介して溶剤が漏れないようにするためのものである。
【００３４】
上記構成の注出治具１は、次のように使用する。蛇腹容器Ｐ１は、溶剤が充填されているが未だ押圧部Ｐ１Ｂが刺し割られてない既存のものとする。すなわち既存の蛇腹容器Ｐ１は、このまま使用すると、圧縮状態の筒本体Ｐ１Ａとノズル部Ｐ１ａの部位には、圧縮しても図３（ｂ）に示す空間Ｐが生じ、ここに溶剤が残留することになる。
【００３５】
本考案の注出治具１は、上記問題を解決するために、未使用の、望ましくは少しだけ溶剤を使用した後の、蛇腹容器Ｐ１に装着して使用する。注出治具１は、図３（ａ）に示すように、筒本体Ｐ１Ａにおける後端部の蛇腹の山に装着体１Ａをシール部材１Ｃと共に装着する。
【００３６】
装着体１Ａを蛇腹容器Ｐ１に装着した後、装着体１Ａに対して押出体１Ｂを螺入する。このとき、刺割部１Ｂｄにより蛇腹容器Ｐ１の押圧部Ｐ１ｂを刺すと共に割って、押出体１Ｂを螺入させつつ蛇腹押出部１Ｂｂ、ノズル押出部１Ｂｃを蛇腹容器Ｐ１の筒本体Ｐ１Ａ内に挿入する。
【００３７】
蛇腹容器Ｐ１に注出治具１を装着して使用することで、図３（ｂ）に示すように、例え圧縮時の蛇腹容器Ｐ１の空間Ｐに溶剤が残留するとしても、押出体１Ｂの蛇腹押出部１Ｂｂ及びノズル押出部１Ｂｃが該空間Ｐにおける溶剤を残留させることなく注出させるので、無駄がなくなる。
【実施例２】
【００３８】
図４及び図５は、本考案の蛇腹容器５である。本考案の蛇腹容器５は、上記実施例１における蛇腹容器Ｐ１に実施例１における注出治具１が予め一体に設けられた構成とされている。本考案の蛇腹容器５は、筒本体５Ａが蛇腹状とされると共に、先端部に内容物を注出するノズル部５ａが形成され、後端部が開放されている。
【００３９】
そして、蛇腹容器５は、開放された筒本体５Ａの後端部に短筒状の装着体５Ｂが設けられている。この装着体５Ｂは、蛇腹容器５から溶剤が漏れないように該蛇腹容器５の後端部と連続的に設けられている。装着体５Ｂの内周面には後述する押出体５Ｃが一体的に設けられている。
【００４０】
また、蛇腹容器５は、装着体５Ｂを介して該蛇腹容器５内へ挿入される押出体５Ｃを有している。この押出体５Ｃは、螺子部５Ｃａが形成された部位から先端方向に向けて筒本体５Ａの内径と略等しくかつ該筒本体５Ａの圧縮された状態の内面に沿った形状とされた蛇腹押出部５Ｃｂが形成されている。
【００４１】
また、押出体５Ｃは、蛇腹押出部５Ｃｂが形成された部位から先端方向に向けて該筒本体５Ａのノズル部５ａの内径と略等しくかつ内面に沿った形状とされたノズル押出部５Ｃｃが形成されている。
【００４２】
本実施例における蛇腹容器５は、実施例１と同様の作用効果を得ることができる。また、装着体５Ｂに対して押出体５Ｃを螺入する構成としてもよく、このようにしても、実施例１と同様の作用効果を得ることができる。
【００４３】
また、図５に示すように、蛇腹容器５における筒本体５Ａの外周方向に臨む蛇腹の山部の頂点が後端部方向に傾斜するようにしてもよい。こうすることで、圧縮状態となった筒本体５Ａにおける蛇腹の谷部（山部の内面）はこのとき先端部方向へ谷部が閉じることになり、溶剤が先端部（ノズル部５ａ）方向へ押し出されるからさらに溶剤の残留を少なくできる。
【実施例３】
【００４４】
図６及び図７に示す実施例３における本考案の注入器具１１は、次の構成とされている。本考案の注入器具１１は、シリンダ１２と、このシリンダ１２内を摺動するピストン１３とを備えている。シリンダ１２は両端が開口され、一方側に注出口１２ａ、他方側に操作口１２ｂが、各々形成されている。これら注出口１２ａ、操作口１２ｂの外周面には螺合部１２ｃが形成されている。
【００４５】
ピストン１３の後進面には、ピストンロッド１３Ａ（以下ロッド１３Ａと記す）が設けられている。ロッド１３Ａは、断面略十字状とされ、軸方向のピストン１３に近い部位と遠い部位の２箇所に、（該十字状からさらに）径方向に突出した係止片１３ａ，１３ｂが形成されている。さらにロッド１３Ａは、ピストン１３の反対端部に該ロッド１３Ａをシリンダ１２から引き出すための操作杆１３Ｂが設けられている。
【００４６】
前記シリンダ１２の注出口１２ａには、ノズルキャップ１４が螺着される。このノズルキャップ１４は、注入口１２ａとの螺着側には後述する本例では上記蛇腹容器５のノズル部５ａの外周面に形成した螺子５ｂと螺着接続する接続部１４ａが形成されている。ノズルキャップ１４の接続部１４ａが形成された側と反対側には、該接続部１４ａと連通したノズル１４ｂが形成されている。
【００４７】
一方、シリンダ１２の操作口１２ｂには、キャップ１５が螺着される。このキャップ１５は、ロッド１３Ａが挿通される挿通孔１５ａが形成されている。挿通孔１５ａの周縁部には、係止片１３ａ，１３ｂをシリンダ１２外内に出入可能とする出入部１５ｂが該挿通孔１５ａと連続して形成されている。また、挿通孔１５ａの周縁部におけるシリンダ１２外側には、係止片１３ａ，１３ｂを係止させるための係止部１５ｃが形成されている。
【００４８】
そして、出入部１５ｂと係止部１５ｃとに亘る挿通孔１５ａの周囲には、ロッド１３Ａの回動により係止片１３ａ，１３ｂを該出入部１５ｂと該係止部１５ｃとに案内する案内部１５Ａが形成されている。
【００４９】
案内部１５Ａは、例えばロッド１３Ａを反時計回りに軸回転させると、周方向に隣接する出入部１５ｂ又は係止部１５ｃの部位に向かって係止片１３ａ，１３ｂが案内される上り勾配とされた斜面で構成されている。なお、案内部１５Ａは、ロッド１３Ａを時計回りに軸回転させると、周方向に隣接する出入部１５ｂ又は係止部１５ｃの部位に向かって係止片１３ａ，１３ｂが案内される下り勾配の斜面で構成されているとも言える。
【００５０】
また、キャップ１５のシリンダ１２内に臨む面と、ピストン１３の操作口１２ｂに臨む面（つまり、後端面）との間、つまりキャップ１５とピストン１３との互いの対向する面間には、ロッド１３Ａが挿通されたばね１６が設けられている。ばね１６は自然長で伸張した状態とされ、ロッド１３Ａをシリンダ１２から引いてピストン１３を後進させるとキャップ１５との間の距離が小さくなり圧縮される。
【００５１】
さらに、本考案の注入器具１１は、本実施例ではシリンダ１２内に、蛇腹容器５を挿入している。蛇腹容器５は、ノズル部５ａの外周面に螺子５ｂが形成されており、シリンダ１２内に蛇腹容器５を挿入するには、蛇腹容器５の螺子５ｂとノズルキャップ１４の接続部１４ａの内周面に形成された螺子とを螺合させ、ノズルキャップ１４をシリンダ１２の螺合部１２ｃによって螺合させることで行う。
【００５２】
蛇腹容器５の押出体５Ｃの後端面は、キャップ１５をシリンダ１２に螺合部１２ｃを介して取り付けた状態で、ばね１６により先端方向に付勢されたピストン１３の先端面と当接している。
【００５３】
上記構成の注入器具１１は、次のように操作する。操作杆１３Ｂ側の係止片１３ｂと係止部１５ｃとが係止した状態、つまりピストン１３が前進した状態から、操作杆１３Ｂをキャップ１５から離間するように引くと、ピストン１３が後進し、これによりピストン１３の後進面とキャップ１５との距離が小さくなり、ばね１６が圧縮する。
【００５４】
このとき、操作杆１３Ｂを離したり、係止片１３ａが出入部１５ｂから出なかったり、係止部１５ｃに係止できないといった誤動作で、圧縮状態のばね１６が復元して係止片１３ｂがキャップ１５の挿通孔１５ａ周辺に衝突する。この衝突によりキャップ１５が破損することがある。
【００５５】
本考案の注入器具１１では、上記の不具合が生じないように、係止片１３ａが確実に係止部１５ｃに位置するように案内部１５Ａを設けている。すなわち係止片１３ａの下端（ピストン１３の前進方向の端部）が出入部１５ｂから完全に突出した状態で、例えば反時計回りにロッド１３Ａを回転させる。
【００５６】
ロッド１３Ａを反時計回りに回転させると、操作杆１３Ｂを引かなくてもロッド１３Ａを回転させる力だけで、係止片１３ａが案内部１５Ａの斜面に沿って案内される。係止片１３ａが案内部１５Ａの斜面の最高点を越えるまでロッド１３Ａを回転させるとと、ばね１６の復元力により係止片１３ａは係止部１５ｃに速やかに位置し、該係止片１３ａは係止部１５ｃで安定的に停止する。一旦、係止部１５ｃに係止片１３ａが位置すると、意図せずロッド１３Ａが回転したとしても、係止片１３ａは案内部１５Ａの斜面の途中部位までは移動するかもしれないが、上記斜面の最高点を越えて出入部１５ｂにまで移動せず、係止部１５ｃに戻ることとなる。
【００５７】
また、案内部１５Ａは、ロッド１３Ａを過剰に引いて、つまり係止片１３ａが出入部１５ｂからかなり突出するまで引いて、操作ミスでばね１６の復元により係止片１３ａがキャップ１５に衝突しても、該案内部１５Ａが連通孔１５ａ周辺の補強リブとして機能するので破損を抑制することができる。
【００５８】
係止片１３ａの下端が案内部５Ａの最高点を越えるまでロッド３Ａを再度反時計回りに回転させると、ばね６の復元により該係止片３ａは出入部５ｂからシリンダ２内へと移動する。この後、ピストン３はばね６の付勢力で前進方向に移動して、この押圧により蛇腹容器５内の溶剤がノズル４ｂ（を介したクラック内へ）注出される。
【００５９】
蛇腹容器５の筒本体５Ａが上記使用により全て圧縮されるにしたがって、筒本体５Ａにおいて生じる空間Ｐにノズル押出部５Ｃｃ及び蛇腹押出部５Ｃｂが侵入して該空間Ｐに残留する溶剤を注出する。よって、使用後に蛇腹容器５に残留する溶剤はほとんどなく、無駄なく使用することができる。
【符号の説明】
【００６０】
１  注出治具
１Ａ  装着体
１Ｂ  押出体
１Ｂｂ  蛇腹押出部
１Ｂｃ  ノズル押出部
１Ｂｄ  刺割部
１Ｃ  シール部材
５  蛇腹容器
５Ｂ  装着体
５Ｃ  押出体
５Ｃｂ  蛇腹押出部
５Ｃｃ  ノズル押出部
１１  注入器具
１２  シリンダ
１３  ピストン
１３Ａ  （ピストン）ロッド
１３ａ  係止片
１３ｂ  係止片
１４  ノズルキャップ
１５  キャップ
１５Ａ  案内部
１５Ｂ  移動部
１５ａ  挿通孔
１５ｂ  出入部
１５ｃ  係止部
１６  ばね
Ｐ  空間
【図１】
0003177833.tif 000003
【図２】
0003177833.tif 000004
【図３】
0003177833.tif 000005
【図４】
0003177833.tif 000006
【図５】
0003177833.tif 000007
【図６】
0003177833.tif 000008
【図７】
0003177833.tif 000009
【図８】
0003177833.tif 000010